(57)【要約】【課題】無線メッシュネットワークを形成する複数の照明器具の少なくとも１つと無線通信する複数の端末装置を備える照明システムにおいて、複数の端末装置の使いやすさを改善することである。【解決手段】照明システム１０は、無線メッシュネットワークＭを形成する複数の照明器具１２，１４と、複数の照明器具の少なくとも１つの照明器具と無線通信する第１端末装置３０及び第２端末装置４０とを含む。第１端末装置が、操作に応じた操作信号を送信し、操作対象の照明器具が、操作信号を受信した場合に、操作後の点灯状態を含む受信確認信号を、第１端末装置と第２端末装置とのそれぞれに送信する。各端末装置は、受信確認信号の受信に応じて、表示部に複数の照明器具の少なくとも１つの点灯状態が表示されている場合に、表示部の表示を更新する。【選択図】図１
2020115437.tif 000002
【特許請求の範囲】
【請求項１】
無線メッシュネットワークを形成する複数の照明器具と、前記複数の照明器具の少なくとも１つと無線通信する複数の端末装置を備える照明システムであって、
前記複数の端末装置のそれぞれは、前記複数の照明器具の少なくとも１つの点灯状態を表示する表示部を有し、
前記複数の端末装置の第１端末装置が、操作に応じた操作信号を送信し、前記複数の照明器具のうち、操作対象の前記照明器具が、前記操作信号を受信した場合に、操作後の点灯状態を含む受信確認信号を、前記第１端末装置と、前記複数の端末装置の少なくとも１つの第２端末装置とのそれぞれに送信し、
前記第１端末装置及び前記第２端末装置のそれぞれは、前記受信確認信号の受信に応じて、前記表示部に前記複数の照明器具の少なくとも１つの点灯状態が表示されている場合に、前記表示部の表示を更新する、
照明システム。
【請求項２】
請求項１に記載の照明システムにおいて、
前記第１端末装置に送信される前記受信確認信号と、前記第２端末装置に送信される前記受信確認信号とは、共通の識別番号を表すデータを含み、共通のチャンネルで送信される、
照明システム。
【請求項３】
請求項１に記載の照明システムに用いられる前記端末装置であって、
前記表示部と、
前記表示部の表示状態を制御する制御部と、を有し、
前記制御部は、前記受信確認信号を受信し、前記表示部に前記複数の照明器具の少なくとも１つの点灯状態が表示されている場合に、前記受信確認信号の送信元である前記照明器具の操作後の点灯状態を表示するように、前記表示部の表示を更新させる、
端末装置。
【請求項４】
請求項３に記載の端末装置において、前記受信確認信号を受信し、前記表示部に前記複数の照明器具の少なくとも１つの点灯状態が表示されている場合に、前記受信確認信号の送信元である前記照明器具の操作後の点灯状態を表示するように、前記表示部の表示を更新させるように、前記制御部に実行させるための、
プログラム。
【発明の詳細な説明】
【技術分野】
【０００１】
本開示は、照明システム、端末装置、及びプログラムに関する。
【背景技術】
【０００２】
特許文献１には、制御装置から複数の照明器具に対し無線通信を行うことで、複数の照明器具の点灯の指示信号を送信することが記載されている。
【先行技術文献】
【特許文献】
【０００３】
【特許文献１】特開２０１３−４８０１４号公報
【発明の概要】
【発明が解決しようとする課題】
【０００４】
ところで、複数の照明器具により無線メッシュネットワークを形成し、複数の端末装置のそれぞれが、複数の照明器具の少なくとも１つと無線通信可能であり、操作対象の照明器具を操作可能とする場合がある。この場合、複数のユーザが互いに異なる端末装置を持って操作する。しかしながら、１人のユーザの１つの端末装置の操作に応じて、いずれかの照明器具の点灯状態が操作された場合に、残りの端末装置にその点灯状態が反映されないと、残りの端末装置を操作する残りのユーザは、残りの端末装置からは現在の点灯状態を即時に把握できない。これにより、残りのユーザは残りの端末装置に現在の点灯状態を反映させるように複数の照明器具に点灯状態を問い合わせるための通信を行わせるといった煩わしさが生じる。これにより、複数の端末装置の使いやすさを改善することが望まれる。
【０００５】
本開示の目的は、無線メッシュネットワークを形成する複数の照明器具の少なくとも１つと無線通信する複数の端末装置を備える照明システムにおいて、複数の端末装置の使いやすさを改善できる照明システム、端末装置、及びプログラムを提供することである。
【課題を解決するための手段】
【０００６】
本開示の一態様である照明システムは、無線メッシュネットワークを形成する複数の照明器具と、複数の照明器具の少なくとも１つと無線通信する複数の端末装置を備える照明システムであって、複数の端末装置のそれぞれは、複数の照明器具の少なくとも１つの点灯状態を表示する表示部を有し、複数の端末装置の第１端末装置が、操作に応じた操作信号を送信し、複数の照明器具のうち、操作対象の照明器具が、操作信号を受信した場合に、操作後の点灯状態を含む受信確認信号を、第１端末装置と、複数の端末装置の少なくとも１つの第２端末装置とのそれぞれに送信し、第１端末装置及び第２端末装置のそれぞれは、受信確認信号の受信に応じて、表示部に複数の照明器具の少なくとも１つの点灯状態が表示されている場合に、表示部の表示を更新する、照明システムである。
【０００７】
本開示の一態様である端末装置は、本開示の照明システムに用いられる端末装置であって、複数の照明器具の少なくとも１つの点灯状態を表示する表示部と、表示部の表示状態を制御する制御部と、を有し、制御部は、受信確認信号を受信し、表示部に複数の照明器具の少なくとも１つの点灯状態が表示されている場合に、受信確認信号の送信元である照明器具の操作後の点灯状態を表示するように、表示部の表示を更新させる、端末装置である。
【０００８】
本開示の一態様であるプログラムは、本開示の端末装置において、受信確認信号を受信し、表示部に複数の照明器具の少なくとも１つの点灯状態が表示されている場合に、受信確認信号の送信元である照明器具の操作後の点灯状態を表示するように、表示部の表示を更新させるように、制御部に実行させるための、プログラムである。
【発明の効果】
【０００９】
本開示の一態様である照明システム、端末装置及びプログラムによれば、無線メッシュネットワークを形成する複数の照明器具の少なくとも１つと無線通信する複数の端末装置を備える照明システムにおいて、第１端末装置の操作に応じて、照明器具の点灯状態が操作された場合に、第１端末装置とともに、少なくとも１つの第２端末装置においてその点灯状態が即時に反映されやすくなる。これにより、複数の端末装置の使いやすさを改善できる。
【図面の簡単な説明】
【００１０】
【図１】実施形態の一例の照明システムを示す図である。
【図２】実施形態の一例の照明システムの複数の端末装置と複数の照明器具との構成を示すブロック図である。
【図３】実施形態の一例の照明システムにおいて、信号の送信経路の１例を示すシーケンス図である。
【発明を実施するための形態】
【００１１】
以下、図面を参照しながら、本開示に係る照明システムの実施形態について詳細に説明する。但し、本開示は以下で説明する実施形態に限定されない。
【００１２】
本開示のシステムの主体は、コンピュータを備えている。このコンピュータがプログラムを実行することによって、本開示のシステムの主体の機能が実現される。コンピュータは、プログラムに従って動作するプロセッサを主なハードウェア構成として備える。プロセッサは、プログラムを実行することによって上記機能を実現することができれば、その種類は問わない。プロセッサは、集積回路（ＩＣ）または大規模集積回路（ＬＳＩ）を含む１つまたは複数の電子回路で構成される。複数の電子回路は、１つのチップに集積されていてもよく、複数のチップに設けられていてもよい。複数のチップは、１つの装置に集約されていてもよく、複数の装置に備えられていてもよい。また、プログラムは、コンピュータが読み取り可能なＲＯＭ、光ディスク、ハードディスクドライブ等の非一時的記憶媒体に記憶される。プログラムは、記憶媒体に予め格納されていてもよく、インターネット等を含む広域通信網を介して記憶媒体に供給されてもよい。
【００１３】
図１は、実施形態の一例の照明システム１０を示す図である。照明システム１０は、照明器具１２と、複数の照明器具１４とを含む複数の照明器具１２，１４と、複数の端末装置３０、４０とを備える。複数の端末装置３０，４０は、第１端末装置３０と、第２端末装置４０とを含む。照明システム１０が備える照明器具の数は特に限定されない。複数の照明器具１２，１４のそれぞれは、例えばシーリングライトである。照明器具は、ダウンライト、スポットライト等の他の種類としてもよい。複数の照明器具１２，１４は、互いに無線通信可能となっている。
【００１４】
照明器具１２は、ユーザが操作する第１端末装置３０と無線通信可能に接続される。照明器具１２は、第１端末装置３０がユーザに操作された場合に、その操作に応じて操作信号を受信する。具体的には、照明器具１２と第１端末装置３０とは、ブリッジ接続を用いたデータ通信で送受信される。ブリッジ接続は、第１端末装置３０と照明器具１２との間で、仮想的な専用通信路を確立し、その通信路を用いて、異なるネットワークセグメント同士を、ソフトウェア処理またはハードウェアブリッジ装置等により、同一のネットワークセグメントとして接続する方法である。ブリッジ接続では、信号の送受信の失敗の可能性が低い仮想的な専用通信路が確立される。この専用通信路を通じた通信は、信号を送信した相手に信号が到着したことを確認しながら通信を行うため、通信の信頼性が高い。例えば、専用通信路を用いた通信では、所定のインターバル期間毎に必ずデータ送信を行い、送信したいデータがない場合でもＥｍｐｔｙ  ＰＤＵ（Ｐｒｏｔｏｃｏｌ  Ｄａｔａ  Ｕｎｉｔ）というデータ形式のデータを送信して、相互の通信を維持する。また、送信したいデータがある場合には所定のインターバルで通信している間に、予め定められた通信プロトコルを通じてデータを送信する。インターバル期間中に返信がない場合にはデータを再送する。
【００１５】
照明器具１２または照明器具１４は、他のユーザが操作する第２端末装置４０と無線通信可能に接続される。このとき、照明器具１２または照明器具１４は、第１端末装置３０と同様に、ブリッジ接続を用いたデータ通信で送受信される。
【００１６】
無線メッシュネットワークは、無線通信機能を持った複数の装置が互いに信号の送受信を可能に接続されることにより、網目状に形成された通信ネットワークである。無線メッシュネットワーク上では、信号が１つ以上の装置を介して転送される。これにより、無線メッシュネットワーク上の１つの装置が外部から受信した信号を、他の装置も受信することができる。
【００１７】
実施形態では、照明器具１２は、ブリッジ接続を用いて端末装置３０から、操作信号を受信し、受信した信号を、無線メッシュネットワークＭを通じて他の複数の照明器具１４に転送する。第１端末装置３０と照明器具１２とは、ＢＬＥ（Ｂｌｕｅｔｏｏｔｈ（登録商標）  Ｌｏｗ  Ｅｎｅｒｇｙ）の無線通信により通信可能に接続される。複数の照明器具１２，１４も、ＢＬＥの無線通信により通信可能に接続される。例えば、複数の照明器具１２，１４は、ＢＬＥのアドバタイズ信号で操作信号を送信する。アドバタイズ信号は、自機の存在を周囲の装置に知らせるためにデータを定期的に送信するために用いられる信号である。複数の照明器具１２,１４には器具ＩＤが設定されており、送信先の器具ＩＤを含む信号を発信することで、送信先の照明器具１２，１４が、その受信信号が自機のＩＤを含む場合にその信号を読み取って照明器具１２，１４の点灯状態を制御、または別の照明器具１２，１４に信号を転送してもよい。図１では、各照明器具１２，１４に付されたＩＤ：１〜４の数字がそれぞれの器具ＩＤを示している。また、第１端末装置３０からブリッジ接続のための信号を発信する前に、複数の照明器具１２，１４がアドバタイズ信号を発信し、第１端末装置３０は、複数の照明器具１２，１４から電波強度が最大の照明器具を、第１端末装置３０に最も近い器具と認識してもよい。このとき、第１端末装置３０は、最も近い器具にブリッジ接続のための信号を送信する。本例では、第１端末装置３０は、ＩＤが４の照明器具１２を最も近い器具と認識してブリッジ接続するが、第１端末装置３０の位置によって、ブリッジ接続する照明器具は変更される。なお、図１では、後述するように、丸の１を付した白抜き矢印により、第１端末装置３０の操作に応じて操作信号が照明器具１２に、ブリッジ接続を用いて送信される場合を示している。一方、第２端末装置４０は、操作に応じて、照明器具１２または照明器具１４とブリッジ接続を用いて操作信号を送信することが可能である。
【００１８】
なお、各端末装置３０，４０及び照明器具１２，１４の間、複数の照明器具１２，１４の間を、それぞれＷｉ−Ｆｉ（登録商標）、Ｂｌｕｅｔｏｏｔｈ（登録商標）等の他の無線通信により通信可能に接続してもよい。
【００１９】
第１及び第２端末装置３０、４０は、それぞれ照明器具１２，１４の点灯または消灯等の点灯状態を制御するための操作信号を送信する機能を有する通信端末である。各端末装置３０、４０は、例えば信号を送受信する機能を有するスマートフォンである。このとき、各端末装置３０，４０は、複数の照明器具１２，１４の少なくとも１つの点灯状態を表示する後述の操作表示部３１，４１（図２）を有する。一方、各端末装置３０，４０は、信号を送受信する機能と、複数の照明器具１２，１４の少なくとも１つの点灯状態を表示する表示部を有するリモートコントローラとしてもよい。操作信号の操作対象である照明器具は、操作信号を受信した場合に、端末装置３０へ信号を受信したことを表す受信確認信号を返信する。受信確認信号は、操作対象の照明器具の操作後の点灯状態（例えば点灯ＯＮ）を含む。例えば、図１では、丸内に１,２,３の符号を付した矢印で、通信の順序を示している。白抜き矢印１で示すように、第１端末装置３０からブリッジ接続で照明器具１２に操作信号が送信される場合がある。図１の例では、その操作信号が、ＩＤが２の照明器具１４を点灯させる指示である場合を示している。以下、ＩＤが２の照明器具１４を対象照明器具１４と記載する場合がある。この場合、細い実線矢印２で示すように、無線メッシュネットワークＭ上で複数の照明器具１２，１４間で操作信号が転送され、対象照明器具１４が操作信号を受信する。これに応じて、対象照明器具１４が点灯される。このとき、対象照明器具１４は、上側の一点鎖線矢印３で示すように、第１端末装置３０に、上記の受信確認信号を返信すると同時に、下側の一点鎖線矢印３で示すように、第２端末装置４０に、上記の受信確認信号を送信する。受信確認信号は、アドバタイズ信号としてもよい。
【００２０】
第１端末装置３０及び第２端末装置４０のそれぞれは、受信確認信号の受信に応じて、操作表示部３１，４１（図２）に複数の照明器具１２，１４の少なくとも１つの点灯状態が表示されている場合に、操作表示部３１，４１の表示を更新する。
【００２１】
図２は、照明システム１０の複数の端末装置３０，４０と複数の照明器具１２，１４との構成を示すブロック図である。図２では、複数の照明器具１２，１４として、照明器具１２と、１つの照明器具１４のみとを示している。照明器具１２は、通信部１６、制御部１８、光源部２０、及び記憶部２２を備える。また、照明器具１４は、通信部１７、制御部１９、光源部２１、及び記憶部２３を備える。照明器具１２と照明器具１４とは、第１端末装置３０とブリッジ接続を行うか否かの違いだけで、基本構成は同一である。
【００２２】
通信部１６は、照明器具１２が、各端末装置３０、４０及び他の照明器具１４と無線通信するためのインターフェースである。通信部１７は、照明器具１４が、各端末装置３０、４０及び他の照明器具１２，１４と無線通信するためのインターフェースである。
【００２３】
制御部１８は、通信部１６を制御する。制御部１８は、各端末装置３０，４０のいずれかから受信した操作信号に応じて光源部２０の点灯状態を制御する。制御部１８は、例えば、ＣＰＵを有し、記憶部２２に記憶されたプログラムによって演算処理が実行される。制御部１８は、操作信号を受信し、その操作対象が自機である場合に受信確認信号を第１端末装置３０及び第２端末装置４０のそれぞれに送信する。このとき、第１端末装置３０に送信される受信確認信号と、第２端末装置４０に送信される受信確認信号とは、共通の識別番号としてのユーザＩＤを表すデータを含み、共通のチャンネルで送信される。これにより、各端末装置３０，４０は、上記のユーザＩＤと予め設定されたチャンネルとを用いて、同じ内容の受信確認信号を読み取って、同じ内容で後述の操作表示部３１，４１の表示を更新させることを容易に行える。なお、受信確認信号は、暗号化して各端末装置３０，４０に送信され、各端末装置３０，４０において、ユーザＩＤを復号化用の鍵として、受信確認信号が復号化されてもよい。また、制御部１８は、操作対象が自機でない場合に操作信号を他の照明器具１４に転送する。制御部１９の機能は、制御部１８の機能と同様である。
【００２４】
光源部２０，２１は、照明光を発する。例えば光源部２０，２１は、ＬＥＤ、蛍光灯、ハロゲンランプ等である。
【００２５】
記憶部２２，２３は、ＲＯＭ、ＲＡＭ、ＨＤＤ、フラッシュメモリ等により実現される。記憶部２２，２３は、受信した操作信号を記憶する機能を有する。
【００２６】
第１端末装置３０は、操作表示部３１、通信部３２、制御部３３、及び記憶部３４を備える。第２端末装置４０は、操作表示部４１、通信部４２、制御部４３、及び記憶部４４を備える。操作表示部３１，４１は、それぞれ表示部に相当する。第１端末装置３０の操作表示部３１は、例えば第１端末装置３０がスマートフォンである場合にタッチパネルスクリーンである。操作表示部３１は、ユーザの操作を受け付ける機能と、複数の照明器具の１つ、または複数、または全部の点灯状態を表示する機能とを有する。制御部３３は、操作表示部３１が操作され、その操作が照明器具１２，１４の点灯状態を操作する指示である場合に、通信部３２を介して操作信号を無線信号で照明器具１２に送信する。照明器具１２は、操作信号が照明器具１４の操作指示である場合に、無線メッシュネットワークＭを通じて照明器具１４に転送する。これにより、第１端末装置３０を持つユーザが、１つ以上の照明器具１２，１４の点灯状態を操作することが可能である。
【００２７】
通信部３２は、第１端末装置３０が複数の照明器具１２，１４と無線通信するためのインターフェースである。
【００２８】
制御部３３は、通信部３２を制御する機能と、操作表示部３１の表示状態を制御する機能を有する。制御部３３は、例えば、ＣＰＵを有し、記憶部３４に記憶されたプログラムによって演算処理が実行される。制御部３３は、いずれかの照明器具１２，１４から受信確認信号を受信し、操作表示部３１に複数の照明器具１２，１４の少なくとも１つの点灯状態が表示されている場合に、受信確認信号の送信元である照明器具１２，１４の操作後の点灯状態を表示するように、操作表示部３１の表示を更新させる。
【００２９】
記憶部３４は、ＲＯＭ、ＲＡＭ、ＨＤＤ、フラッシュメモリ等により実現される。記憶部３４は、操作表示部３１の操作による照明操作の指示内容を記憶する機能を有する。また、端末装置３０がスマートフォンである場合に、記憶部３４には、照明操作のアプリケーションプログラムが記憶される。ユーザは、制御部３３にアプリケーションプログラムを実行させることで、照明器具１２，１４を操作するための画面をタッチパネルスクリーンに表示させることができる。上記プログラムは、例えば、いずれかの照明器具１２，１４から受信確認信号を受信し、操作表示部３１に複数の照明器具１２，１４の少なくとも１つの点灯状態が表示されている場合に、受信確認信号の送信元である照明器具１２，１４の操作後の点灯状態を表示するように、操作表示部３１の表示を更新させるように、制御部３３に実行させるために用いられる。
【００３０】
第２端末装置４０の操作表示部４１、通信部４２、制御部４３、及び記憶部４４の機能は、第１端末装置３０の操作表示部３１、通信部３２、制御部３３、及び記憶部３４の機能と同様である。
【００３１】
図３は、照明システム１０において、信号の送信経路の１例を示すシーケンス図である。図３では、２人のユーザの一方が第１端末装置３０を持ち、他方が第２端末装置４０を持っている場合を示している。ステップＳ１０では、一方のユーザが第１端末装置３０を、照明器具１４を点灯させるように操作することにより、第１端末装置３０から操作信号が照明器具１２に送信される。照明器具１２からは、無線メッシュネットワークＭを通じて操作対象である照明器具１４に操作信号が転送される（ステップＳ１２）。これにより操作対象の照明器具１４が制御部１９（図２）により制御されて、光源部２１（図２）が点灯される。その後、ステップＳ１３，Ｓ１４で示すように、操作対象の照明器具１４から、操作後の点灯状態（点灯ＯＮ）を含む受信確認信号が、第１端末装置３０及び第２端末装置４０のそれぞれに送信される。これにより、第１端末装置３０及び第２端末装置４０のそれぞれの操作表示部３１，４１（図２）に複数の照明器具１２，１４の少なくとも１つの点灯状態が表示されている場合に、各制御部３３，４３（図２）によって、操作表示部３１，４１の表示が、照明器具１４の操作後の点灯状態を表示するように更新される。
【００３２】
上記の照明システム１０、端末装置３０、及びプログラムによれば、照明システム１０において、第１端末装置３０の操作に応じて、照明器具１２，１４の点灯状態が操作された場合に、第１端末装置３０とともに第２端末装置４０において、その点灯状態が即時に反映されやすくなる。これにより、複数の端末装置３０，４０の使いやすさを改善できる。
【００３３】
なお、上述の実施形態は本開示の目的を損なわない範囲で適宜設計変更できる。例えば、上記では、複数の端末装置が、第１端末装置３０と第２端末装置４０の２つである場合を説明したが、第２端末装置４０を複数設けて、照明システムが３つ以上の端末装置を含む構成としてもよい。この場合には、第１端末装置３０の操作に応じて、照明器具の点灯状態が操作された場合に、第１端末装置３０とともに複数の第２端末装置４０において、その点灯状態が即時に反映されやすくなる。
【符号の説明】
【００３４】
１０  照明システム、１２，１４  照明器具、１６，１７  通信部、１８，１９  制御部、２０、２１  光源部、２２，２３  記憶部、３０  第１端末装置、３１  操作表示部、３２  通信部、３３  制御部、３４  記憶部、４０  第２端末装置、４１  操作表示部、４２  通信部、４３  制御部、４４  記憶部。
【図１】
2020115437.tif 000003
【図２】
2020115437.tif 000004
【図３】
2020115437.tif 000005